【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
プログラマブルな低ドロップアウトレギュレータであって、
出力と第１の入力とを含む、誤差増幅器と、
前記誤差増幅器の前記出力に電気的に接続されたゲートと、プログラマブルであるプログラマブル出力電圧を提供するように構成された出力ノードに電気的に接続されたドレインとを含む、調整電界効果トランジスタと、
前記出力ノードと第１の電圧との間に電気的に接続されたフィードバック回路とを備え、前記フィードバック回路は、前記誤差増幅器の前記第１の入力にフィードバック信号を提供するように構成され、前記プログラマブルな低ドロップアウトレギュレータはさらに、
前記出力ノードに電気的に接続された出力キャパシタと、
前記出力電圧を高電圧レベルから低電圧レベルにプログラムすることに応答して前記出力キャパシタを放電するよう活性化するように構成された代替放電回路とを備える、プログラマブルな低ドロップアウトレギュレータ。
【請求項２】
前記代替放電回路は、前記プログラマブル出力電圧をトリガ電圧と比較し、比較に基づいて前記出力ノードから前記第１の電圧への電気経路を選択的に作動させるように構成されたコンパレータを含む、請求項１に記載のプログラマブルな低ドロップアウトレギュレータ。
【請求項３】
前記代替放電回路は、前記第１の電圧に電気的に接続されたソースと、前記コンパレータの出力に電気的に接続されたゲートとを含む放電電界効果トランジスタをさらに含む、請求項２に記載のプログラマブルな低ドロップアウトレギュレータ。
【請求項４】
前記代替放電回路は、前記出力ノードと前記調整電界効果トランジスタの前記ドレインとの間に電気的に接続された放電制御回路をさらに含む、請求項３に記載のプログラマブルな低ドロップアウトレギュレータ。
【請求項５】
前記代替放電回路は、前記トリガ電圧を発生させるように構成されたトリガ電圧発生回路をさらに含み、前記トリガ電圧発生回路は、１つ以上の抵抗器と、前記トリガ電圧を発生させるために前記１つ以上の抵抗器を通って流れる電流を提供する電流源とを含む、請求項２に記載のプログラマブルな低ドロップアウトレギュレータ。
【請求項６】
前記低ドロップアウトレギュレータは、前記プログラマブル出力電圧のプログラム電圧レベルを制御するように動作可能である制御信号を受信するように構成され、前記代替放電回路は、前記制御信号に基づいて前記トリガ電圧の電圧レベルを調節するように構成されている、請求項２に記載のプログラマブルな低ドロップアウトレギュレータ。
【請求項７】
前記フィードバック回路は、前記出力ノードと前記第１の電圧との間に電気的に直列に接続された第１の抵抗器および第２の抵抗器を含み、前記第１の抵抗器は、前記プログラマブル出力電圧のプログラム電圧レベルを変更するように動作可能であるプログラマブルな抵抗を有する、請求項１に記載のプログラマブルな低ドロップアウトレギュレータ。
【請求項８】
前記誤差増幅器の第２の入力に基準電圧を提供するように構成された基準電圧発生器をさらに含む、請求項１に記載のプログラマブルな低ドロップアウトレギュレータ。
【請求項９】
ドライバ段を含む多段電力増幅器と、
複数の異なる電圧レベルにプログラマブルであるプログラマブル出力電圧を用いて前記ドライバ段に電力を供給する出力を含むプログラマブルな低ドロップアウトレギュレータとを備える、電力増幅器システムであって、 
前記プログラマブルな低ドロップアウトレギュレータは、
誤差増幅器と、
前記誤差増幅器の出力に電気的に接続されたゲートと、前記プログラマブルな低ドロップアウトレギュレータの前記出力に電気的に接続されたドレインとを含む、調整電界効果トランジスタと、
前記プログラマブル出力電圧の電圧レベルに基づいて前記誤差増幅器の第１の入力にフィードバックを提供するように構成されたフィードバック回路と、
前記プログラマブルな低ドロップアウトレギュレータの前記出力に電気的に接続された出力キャパシタと、
前記プログラマブル出力電圧を高電圧レベルから低電圧レベルにプログラムすることに応答して前記出力キャパシタを放電するよう活性化するように構成された代替放電回路とを含む、電力増幅器システム。
【請求項１０】
前記出力電圧の前記電圧レベルを制御するように動作可能である制御信号を生成するように構成された送受信機をさらに備える、請求項９に記載の電力増幅器システム。
【請求項１１】
前記プログラマブルな低ドロップアウトレギュレータは、前記誤差増幅器の第２の入力のための基準電圧を発生させるように構成された基準電圧発生器をさらに含み、前記基準電圧発生器は、前記制御信号を受信するように構成されている、請求項１０に記載の電力増幅器システム。
【請求項１２】
前記フィードバック回路は、前記制御信号によって制御されるプログラマブルな抵抗を有する抵抗器を含む、請求項１０に記載の電力増幅器システム。
【請求項１３】
前記代替放電回路は、前記プログラマブル出力電圧をトリガ電圧と比較し、比較に基づいて前記プログラマブルな低ドロップアウトレギュレータの前記出力から第１の電圧への電気経路を選択的に作動させるように構成されたコンパレータを含む、請求項９に記載の電力増幅器システム。
【請求項１４】
前記電気経路は、前記プログラマブルな低ドロップアウトレギュレータの前記出力と前記第１の電圧との間に電気的に直列に接続された、放電制御回路および放電電界効果トランジスタを含む、請求項１３に記載の電力増幅器システム。
【請求項１５】
前記多段電力増幅器は出力段をさらに含み、前記電力増幅器システムは、前記出力段に電力を供給するＤＣ／ＤＣコンバータをさらに含む、請求項９に記載の電力増幅器システム。
【請求項１６】
前記多段電力増幅器は出力段をさらに含み、前記電力増幅器システムは、前記出力段に電力を供給するエンベロープトラッカーをさらに含む、請求項９に記載の電力増幅器システム。
【請求項１７】
プログラマブルな低ドロップアウトレギュレータにおける電圧調整の方法であって、前記方法は、
誤差増幅器を使用して、調整電界効果トランジスタのゲートを制御することと、
前記調整電界効果トランジスタを使用して、出力ノードで提供される出力電圧を調整することと、
フィードバック回路を使用して、前記出力電圧の電圧レベルに基づいて、前記誤差増幅器の第１の入力のためのフィードバック信号を生成することと、
出力キャパシタを使用して、前記出力電圧を安定化することと、
前記出力電圧を高電圧レベルから低電圧レベルにプログラムすることと、
前記出力電圧を前記高電圧レベルから前記低電圧レベルにプログラムすることに応答して、前記出力キャパシタを放電するように代替放電回路を活性化することとを備える、方法。
【請求項１８】
前記出力電圧を使用して、電力増幅器のドライバ段に電力を供給することをさらに備える、請求項１７に記載の方法。
【請求項１９】
比較器を使用して、前記低ドロップアウトレギュレータのプログラマブルな前記出力電圧をトリガ電圧と比較することと、比較に基づいて、前記出力ノードから第１の電圧への、前記代替放電回路を通る電気経路を選択的に作動させることとをさらに備える、請求項１７に記載の方法。
【請求項２０】
制御信号を使用して、前記出力電圧の前記電圧レベルをプログラムすることと、前記制御信号に基づいて、前記トリガ電圧の電圧レベルを調節することとをさらに備える、請求項１９に記載の方法。
【請求項２１】
前記代替放電回路は、前記出力ノードから前記第１の電圧への電気的経路を選択的に活性化して、前記キャパシタを放電するように構成される、請求項１に記載のプログラマブルな低ドロップアウトレギュレータ。
【手続補正２】
【補正対象書類名】明細書
【補正対象項目名】００６４
【補正方法】変更
【補正の内容】
【００６４】
したがって、図示された電力増幅器システム５０は、電力増幅器のドライバ段のための電力増幅器供給電圧を発生させるためのＬＤＯレギュレータを有利に含む。電力増幅器システム５０をこのように構成することは、電力増幅器システム５０のコストおよび／またはサイズへの影響は比較的小さいままで、ＰＡＥの増加を達成する。
【手続補正３】
【補正対象書類名】明細書
【補正対象項目名】００６７
【補正方法】変更
【補正の内容】
【００６７】
図４Ｂの電力増幅器システム６５は、図４Ｂの電力増幅器システム６５が電力管理システム６６の異なる実現化例を含む点以外は、図４Ａの電力増幅器システム５０と同様である。特に、図４Ｂの電力管理システム６６は、電力管理システム６６がエンベロープトラッカー６７を含むことを優先してＤＣ／ＤＣコンバータ６３を省略している点以外は、図４Ａの電力管理システム６１と同様である。
【手続補正４】
【補正対象書類名】明細書
【補正対象項目名】００６９
【補正方法】変更
【補正の内容】
【００６９】
図４Ｃの電力増幅器システム７５は、図４Ｃの電力増幅器システム７５が電力増幅器７０の異なる実現化例を含む点以外は、図４Ａの電力増幅器システム５０と同様である。特に、図４Ｃの電力増幅器７０は、電力増幅器７０がドライバ段ＦＥＴ７１および出力段ＦＥＴ７２を優先してドライバ段バイポーラトランジスタ５１および出力段バイポーラトランジスタ５２をそれぞれ省略している点以外は、図４Ａの電力増幅器６０と同様である。
【手続補正５】
【補正対象書類名】明細書
【補正対象項目名】００８４
【補正方法】変更
【補正の内容】
【００８４】
ＬＤＯレギュレータ９０の追加の詳細は、前述の通りであり得る。
図６は、ＬＤＯレギュレータ１００の別の実施形態の概略図である。ＬＤＯレギュレータ１００は、誤差増幅器１０１と、調整ＦＥＴ１０２と、出力キャパシタ１０６とを含み、それらは前述の通りであり得る。ＬＤＯレギュレータ１００はさらに、フィードバックネットワーク１０３と、代替放電回路１０４とを含む。図６のＬＤＯレギュレータ１００は、図５ＡのＬＤＯレギュレータ８０の一実現化例を示している。しかしながら、図５ＡのＬＤＯレギュレータ８０は、他のやり方で実現可能である。
【手続補正６】
【補正対象書類名】明細書
【補正対象項目名】００９３
【補正方法】変更
【補正の内容】
【００９３】
パッケージ化モジュール３００は、ＩＣまたはダイ３０１と、表面実装コンポーネント３０３と、ワイヤボンド３０８と、パッケージ基板３２０と、カプセル化構造３４０とを含む。パッケージ基板３２０は、そこに配置された導体から形成されるパッド３０６を含む。加えて、ダイ３０１はパッド３０４を含み、ダイ３０１のパッド３０４をパッケージ基板３２０のパッド３０６に電気的に接続するために、ワイヤボンド３０８が使用されてきた。